(57)【特許請求の範囲】
【請求項１】
シャッターケースと、該シャッターケースに内装される巻取りドラムと、スラットを一連状に連結することで形成されていて巻取りドラムに巻装されるシャッターカーテンと、シャッターカーテンの左右両端部を昇降案内して開口部の開閉をするガイドレールとを備えて構成される建築用シャッター装置において、ガイドレール上端部のシャッターカーテン呑み込み口から巻取りドラムに巻装されるまでのシャッターカーテンの移動経路に、左右方向に片寄ったスラットの端縁部に当接して該スラットの片寄りを矯正するための片寄り矯正具を備えるにあたり、該片寄り矯正具は、シャッターケース側に設けられる弾性材と、該弾性材のシャッターカーテン対向面に設けられる取付け金具と、該取付け金具のシャッターカーテン対向側に位置して回転自在に設けられ、スラットの片寄った端縁部に当接して片寄りを矯正する矯正体とを備えて構成されることを特徴とする片寄り矯正具を備えた建築用シャッター装置。
【請求項２】
矯正体は、前記シャッターカーテン呑み込み口から巻取りドラムに巻装されるまでの移動経路の上下に設けられた少なくとも二つの回転体が一つの弾性材に設けられたものであることを特徴とする請求項１記載の片寄り矯正具を備えた建築用シャッター装置。
【請求項３】
隣接する二つの回転体同士の対向間隔は、スラットの上下幅よりも小さくなっていることを特徴とする請求項２記載の片寄り矯正具を備えた建築用シャッター装置。
【発明の詳細な説明】
【技術分野】
【０００１】
本発明は、建物の出入り口等の開口部に設けられる建築用シャッターにおいて、左右方向に片寄ったスラットの矯正をするための片寄り矯正具を備えた建築用シャッター装置の技術分野に関するものである。
【背景技術】
【０００２】
一般に、この種の建築用シャッターにおいては、シャッターケース内に配した巻取りドラムに巻装されるシャッターカーテンを、左右のガイドレールで昇降案内して開口部の開閉を行うようなっているが、使用の過程において、シャッターカーテンを構成するスラットが左右に片寄り（偏倚、位置ズレ）することがあり、これを放置しておくと、シャッターカーテンの開閉作動の際に異音が発生したり開閉不良が発生したりし、さらにこれがひどくなるとシャッターカーテンがシャッターケース内で巻き崩れてシャッターカーテンの開閉ができなくなってしまうという問題がある。
そこでガイドレール上端部のシャッターカーテン呑み込み口から巻取りドラムに巻装されるまでのシャッターカーテンの移動経路に、左右方向に片寄ったスラットの端縁部に当接して該スラットの片寄りを矯正するための片寄り矯正具を設けたものが知られている（例えば特許文献１、２）。
【先行技術文献】
【特許文献】
【０００３】
【特許文献１】特開平９−８８４５７号公報
【特許文献２】実開昭６３−８３９２号公報
【発明の概要】
【発明が解決しようとする課題】
【０００４】
しかしながら前記従来のものは、剛性状態の矯正具がシャッターカーテンの左右端部に当接して矯正するものであるため、スラットの片寄りが大きい場合、矯正具に対して深い位置での無理な当接を急激に受けることになるためスラットの矯正が間に合わず、片寄ったスラットが近接するスラット共に反対側に逃げてしまって片寄りの矯正がうまくいかないことがあるばかりでなく、スラットの矯正具が当接した部位が変形したりしてシャッターカーテンの巻き姿勢が損なわれ、反ってシャッターカーテンの片寄り発生を助長してしまう等の問題があり、ここに本発明の解決すべき課題がある。
【課題を解決するための手段】
【０００５】
本発明は、上記の如き実情に鑑みこれらの課題を解決することを目的として創作されたものであって、請求項１の発明は、シャッターケースと、該シャッターケースに内装される巻取りドラムと、スラットを一連状に連結することで形成されていて巻取りドラムに巻装されるシャッターカーテンと、シャッターカーテンの左右両端部を昇降案内して開口部の開閉をするガイドレールとを備えて構成される建築用シャッター装置において、ガイドレール上端部のシャッターカーテン呑み込み口から巻取りドラムに巻装されるまでのシャッターカーテンの移動経路に、左右方向に片寄ったスラットの端縁部に当接して該スラットの片寄りを矯正するための片寄り矯正具を備えるにあたり、該片寄り矯正具は、シャッターケース側に設けられる弾性材と、該弾性材のシャッターカーテン対向面に設けられる取付け金具と、該取付け金具のシャッターカーテン対向側に位置して回転自在に設けられ、スラットの片寄った端縁部に当接して片寄りを矯正する矯正体とを備えて構成されることを特徴とする片寄り矯正具を備えた建築用シャッター装置である。
請求項２の発明は、矯正体は、前記シャッターカーテン呑み込み口から巻取りドラムに巻装されるまでの移動経路の上下に設けられた少なくとも二つの回転体が一つの弾性材に設けられたものであることを特徴とする請求項１記載の片寄り矯正具を備えた建築用シャッター装置である。
請求項３の発明は、隣接する二つの回転体同士の対向間隔は、スラットの上下幅よりも小さくなっていることを特徴とする請求項２記載の片寄り矯正具を備えた建築用シャッター装置である。
【発明の効果】
【０００６】
請求項１の発明とすることにより、左右方向に片寄ったスラットが矯正体に当接した場合に、弾性材は、矯正体に当接したスラットからの負荷を受けて当接した側が収縮変形することになって取付け金具が傾斜状になり、この結果、該取付け金具が傾斜した分、矯正体は片寄ったスラットから退避した状態になってスラットは矯正体に対して浅い状態での当接になって無理な当接を急激に受けることが回避され、弾性材の復元力を含めた穏やかで確実な矯正がなされることになる。
請求項２の発明とすることにより、弾性材の復元力を含めた穏やかな矯正が、一つの弾性材に設けられた少なくとも二つの回転体によってなされることになるため、一つの弾性材のバランスの取れた復元力による矯正がなされることになって優れた矯正機能が発揮される。
請求項３の発明とすることにより、隣接する二つの回転体の対向間隔がスラットの上下幅よりも小さくなる結果、該隣接する二つの回転体による矯正作用が、片寄った一つのスラットに対し同時的に働くことになって、該片寄ったスラットの平行状の矯正ができることになる。
【図面の簡単な説明】
【０００７】
【図１】建築用シャッターの全体正面図である。
【図２】シャッターケース部位の縦断面図である。
【図３】（Ａ）（Ｂ）（Ｃ）は片寄り矯正具の正面図、底面図、側面図である。
【図４】（Ａ）〜（Ｅ）はスラットの矯正状態を示す作用図である。
【図５】第二の実施の形態を示すスラットの矯正状態を示す作用図である。
【発明を実施するための形態】
【０００８】
以下、本発明の実施の形態について、図面に基づいて説明する。図面において、１はシャッターカーテンであって、該シャッターカーテン１は、複数枚のスラット１ａをインターロック結合をすることで一枚状に形成したもので、開口部の天井部位に設けたシャッターケース２に内装した巻取りドラム３に渦巻き状に巻装され、該巻取りドラム３が開閉機４の駆動に伴い正逆回転することで開口部の左右に設けたガイドレール５に昇降案内されて開口部の開閉をするようになっていること等は何れも従来通りである。
【０００９】
ガイドレール５の上端部は、シャッターケース２の下部に没入しているが、前後方向に拡開してシャッターカーテン１の呑み込み口５ａとなっており、該呑み込み口５ａから巻取りドラム３に至るまでのシャッターカーテン１の移動経路に本発明が実施された片寄り矯正具６が設けられている。
【００１０】
前記片寄り矯正具６は、シャッターケース２の左右ブラケット２ａに取付けられるゴム質素材からなる弾性材７と、該弾性材７の左右方向内側面に取付けられる取付け金具８と、該取付け金具８に取付けられる上下一対の回転体９とにより構成されている。
尚、片寄り矯正具６は、弾性材７をブラケット２ａに取付けた状態の該弾性材７に、回転体９が設けられた取付け金具８を設けるようにしたもの、また回転体９が設けられた取付け金具８に弾性材７が設けられた状態のものをブラケット２ａに取付けるようにしたものの何れであっても勿論よい。
【００１１】
前記取り付け金具８は平面視をしたとき凵字形をしており、その跨部８ａが弾性材７に固着されたものをブラケット２ａに取付けることになるが、この場合の取付けは、一対の脚片部８ｂが前後方向両側に位置する状態で左右方向内方に向けて突出するようになされる。脚片部８ｂには、円弧状に膨出部８ｃが上下に一対形成され、前後に対向する膨出部８ｃ部位間に軸芯が前後方向を向くよう支軸９ａが設けられ、該支軸９ａにローラー状の前記回転体（本発明の「矯正体」に相当する。）９が回動自在に設けられている。
【００１２】
各回転体９の前後長さは、巻取りドラム３に対するシャッターカーテン１の巻き径が全閉状態となったときの最小の巻き径状態から全開状態になったときの最大の巻き径状態になるまでのあいだにおいて、呑み込み口５ａから巻取りドラム３に至るまでのシャッターカーテン１の移動軌跡に側面視で干渉する長さ（前後長さ）となっていると共に、シャッターカーテン１の最大になった巻き径の下側位置で、かつ呑み込み口５ａの上側のスペースに配されている。
また上下一対の回転体９は、軸心間の対向間隔がスラット１ａ一枚の上下幅よりも短くなるよう設定されていると共に、図１に示すように、シャッターカーテン１が左右に片寄っていない（左右に位置ズレがない）納まり状態でシャッターカーテン１の左右両端縁から離間する（例えば５〜１０ｍｍ離間する）ように設定されている。因みにこの離間距離については、スラット１ａの左右長さ等により適宜変更されるものであることは言うまでもない。
【００１３】
そしてシャッターカーテン１が開閉作動するときに、スラット１ａが左右に片寄っていた場合の片寄り矯正具６による片寄り矯正作動について次に説明するが、ここではシャッターカーテン１が開放作動するときの矯正作動について図４において説明するものとし、閉鎖作動するときの説明は、上下逆の矯正作動になるので省略する。
【００１４】
まず呑み込み口５ａを上昇するスラット１ａが左右何れか一方に片寄っていた場合、該スラット１ａの片寄った側の端縁が該側の片寄り矯正具６の下側回転体９に当接することになるが、片寄り矯正具６は、片寄ったスラット１ａからの押圧力を受けて弾性材７の下側部位が縮小する方向に弾性変形をすることになって下側が左右方向外方に偏倚する傾斜状態となり、この結果、片寄ったスラット１ａの下側回転体９に対する当接は、片寄り矯正具６が傾斜した分、下側回転体９に対して浅い当接となり、片寄りが大きかったとしても穏やかな矯正となって、近隣のスラット１ａと共に反対側に逃げてしまうようなことが回避される。そして片寄ったスラット１ａは、上昇していく過程で弾性材７の復元力を受けての矯正になるため、円滑な矯正がなされる。
【００１５】
叙述の如く構成された本実施の形態において、スラット１ａが左右何れか一方に大きく片寄っていた場合に、片寄り矯正具６による矯正を受けることになるが、この場合に、前述したように、片寄り矯正具６の構成部材である回転体９にスラット１ａが当接した場合に、回転体９は、当接負荷を受けることで弾性材７が縮小することになって左右方向外方に退避することになり、この結果、スラット１ａは、回転体９が退避した分、浅い当接になって矯正を受けることになるが、この矯正は、弾性材７の復元力を受けたものとなる。このため当初は、弾性材７の弾性変形により浅い当接による矯正であっても、矯正の過程において弾性材７の復元力による矯正も働くことになってスラット１ａの片寄りを確実に矯正することができる。このため、従来のもののように剛性的にスラット１ａに当接することが回避され、隣接スラット１ａと共に反対側に逃げてしまったり、スラットが変形したりするようなことが回避される。
【００１６】
そしてこの場合に、一つの弾性材７に二つの回転体９が設けられていて、該弾性材７の復元力を含めた矯正がなされる結果、各別に弾性材を設けた場合のように弾性材の復元力がバラバラに働くことがなく、一つの弾性材７による上下バランスの取れた復元力による矯正がなされることになって、高い矯正機能が発揮されることになる。
【００１７】
しかもこの場合に、上下に隣接する二つの回転体９の対向間隔がスラット１ａの上下幅よりも小さいものに設定されている結果、弾性材７の復元力を含めた隣接する二つの回転体９による矯正作用を受けることになるが、この場合に、まず下側の回転体９にスラット１ａが当接すると、図４（Ｂ）に示すように、弾性材７の下側部位が当接負荷を受けて縮小することになって下側回転体９が左右方向外方に移動するため、片寄りが浅くなった状態でスラット１ａが下側回転体９に乗り上げることになる。この状態でスラット１ａが上動していくと、図４（Ｃ）に示すように、弾性材７の復元力を受けた矯正がなされたものとなって次第に片寄りが矯正されていく。そしてスラット１ａが上側の回転体９に当接すると、該上側回転体９は、弾性材７の上側部位を縮小側に弾性変形させることになる。この結果、下側回転体９の弾性材７の復元力を受けて矯正されつつあるスラット１ａは、上側回転体９が弾性材７を弾圧縮小することに伴う復元力を受けることになる。このため、下側回転体９により片寄りが矯正されつつあるスラット１ａに対し、上側回転体９による弾性材７の復元力による矯正も加わることになって、上下で同時的にバランスの取れた矯正作用が働くことになって、片寄ったスラット１ａの平行状態での矯正ができることになる（図４（Ｄ）参照）。しかもこのものでは、図４（Ｅ）に示すように、二つの回転体９が、上下に隣接する二つのスラット１ａをそれぞれ同時的に矯正することにもなるため、該隣接するスラット１ａが共に片寄っていた場合についての矯正機能も高いものとなる。
【００１８】
尚、本発明は前記実施の形態に限定されるものでないことは勿論であって、図５に示す第二の実施の形態のように、上下に隣接する二つの回転体９の対向間隔がスラット１ａの上下幅よりも大きいものに設定することができ、この場合には、上下に隣接する一対のスラット１ａを、同時的に矯正することができ、隣接する上下のスラット１ａが共に片寄っていたような場合の矯正が確実になる。
【００１９】
因みに前記何れの実施の形態において、回転体９は二つのものとしたが、これに限定されるものではなく、一つのものとしてもよく、また三つ以上としてもよい。そして三つ以上とする場合に、全ての回転体が一つのスラット１ａの同時的な矯正をするような寸法設定にすることもでき、また二つの回転体が一つのスラットに対して同時的に矯正し、残りの回転体が隣接スラット１ａの矯正をするような寸法設定とすることもでき、さらには各回転体が上下に連続する一つのスラットの矯正をそれぞれするような寸法設定にすることもできる。
また矯正体としては回転体（回転ローラ）に限定するものではなく、塊体のようなものであっても勿論よいが、塊体とした場合、スラットとの摺動抵抗を低減するため、フッ素樹脂のように摩擦係数の小さい素材を採用することが好ましい。
【産業上の利用可能性】
【００２０】
本発明は、スラットの片寄り矯正具を備えた建築用シャッター装置として利用することができる。
【符号の説明】
【００２１】
１  シャッターカーテン
１ａ  スラット
２  シャッターケース
２ａ  ブラケット
３  巻取りドラム
５  ガイドレール
５ａ  呑み込み口
６  片寄り矯正具
７  弾性材
８  取付け金具
９  回転体
【図１】
0006347728.tif 000002
【図２】
0006347728.tif 000003
【図３】
0006347728.tif 000004
【図４】
0006347728.tif 000005
【図５】
0006347728.tif 000006